(57)【要約】  【課題】  必要とする機能を具備して簡素化した回路構成を有し、使用する構成要素が少く、小型化可能で、安価に製造できる衛星放送受信用周波数変換器を提供する。  【解決手段】  各複数チャネルの水平偏波信号及び垂直偏波信号を周波数変換し、各複数チャネルの水平偏波中間周波信号及び垂直偏波中間周波信号を形成する第１周波数変換部５と、第１周波数変換部５で得られた各複数チャネルの水平偏波中間周波信号及び垂直偏波中間周波信号の中の１つのチャネルの水平偏波周波数中間周波信号または垂直偏波数中間周波信号を選択する信号選択部１０、１１と、信号選択部１０、１１で得られた１つのチャネルの中間周波信号をその信号と異なる周波数の１つのチャネルの第１または第２中間周波信号に周波数変換する第２周波数変換部１８を有し、第２周波数変換部１８で得られた１つのチャネルの第１または第２中間周波信号が従来型放送信号受信機に供給される。  【選択図】  図１
2006352348.tif 000002
【特許請求の範囲】
【請求項１】
受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、前記第１周波数変換部から出力された前記複数チャネルの水平偏波中間周波信号及び前記複数チャネルの垂直偏波中間周波信号の中の１つのチャネルの水平偏波周波数中間周波信号または垂直偏波数中間周波信号を選択する信号選択部と、前記信号選択部から出力された１つのチャネルの中間周波信号をその中間周波信号と異なる周波数の１つのチャネルの第１または第２中間周波信号に周波数変換する第２周波数変換部とを有し、前記第２周波数変換部から出力された１つのチャネルの第１または第２中間周波信号が従来型放送信号受信機に供給されることを特徴とする衛星放送受信用周波数変換器。
【請求項２】
受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、前記第１周波数変換部から出力された前記複数チャネルの水平偏波中間周波信号及び前記複数チャネルの垂直偏波中間周波信号の中の１つのチャネルの水平偏波周波数中間周波信号または垂直偏波数中間周波信号を選択する第１信号選択部と、前記複数チャネルの水平偏波中間周波信号及び前記複数チャネルの垂直偏波周波数変換信号の中からそれぞれ１つのチャネルの水平偏波中間周波信号及び垂直偏波数中間周波信号を選択する第２信号選択部と、前記第１信号選択部から出力された１つのチャネルの中間周波信号をその信号と異なる周波数の第１または第２中間周波信号に周波数変換する第２周波数変換部と、前記第２信号選択部から出力されたそれぞれ１つのチャネルの水平偏波中間周波信号及び垂直偏波数中間周波信号をそれより狭い周波数帯域内にある水平偏波中間周波信号及び垂直偏波数中間周波信号に周波数変換する第３周波数変換部とを有し、前記第２周波数変換部から出力された１つのチャネルの第１または第２中間周波信号が従来型信号受信機に供給され、第３周波数変換部から出力された水平偏波中間周波信号と垂直偏波数中間周波信号とを加算した信号が従来型放送信号受信機に供給されることを特徴とする衛星放送受信用周波数変換器。
【請求項３】
受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、前記第１周波数変換部から出力された前記複数チャネルの水平偏波中間周波信号及び前記複数チャネルの垂直偏波中間周波信号の中の１つのチャネルの水平偏波周波数中間周波信号または垂直偏波数中間周波信号を選択する信号選択部と、前記信号選択部から出力された１つのチャネルの水平偏波周波数中間周波信号または垂直偏波数中間周波信号をその信号と異なる周波数の１つのチャネルの第１または第２中間周波信号に周波数変換する１つの第２周波数変換部と、前記１つの信号選択部から出力された１つのチャネルの垂直偏波周波数中間周波信号または垂直偏波数中間周波信号をその信号と異なる周波数の１つのチャネルの第３または第４中間周波信号に周波数変換する他の第２周波数変換部とを有し、前記１つの第２周波数変換部から出力された１つのチャネルの第１または第２中間周波信号及び前記他の第２周波数変換部から出力された１つのチャネルの第３または第４中間周波信号がそれぞれ従来型放送信号受信機に供給されることを特徴とする衛星放送受信用周波数変換器。
【発明の詳細な説明】
【技術分野】
【０００１】
本発明は、衛星放送受信用周波数変換器に係り、特に、既知の衛星放送受信用周波数変換器に比べて簡素化した構成にして使用する構成部品を低減し、変換器の小型化を図った衛星放送受信用周波数変換器に関する。
【背景技術】
【０００２】
一般に、衛星放送を従来型放送信号受信機で受信する際には、従来型放送信号受信機と衛星放送受信アンテナとの間に衛星放送受信用周波数変換器を接続する必要がある。この場合、衛星放送受信用周波数変換器は、衛星から送信される衛星放送電波を受信し、その受信放送信号を周波数変換して通常周波数帯域の放送信号にして従来型放送信号受信機に供給するものである。
【０００３】
図３は、既知の衛星放送受信用周波数変換器の一例を示すブロック構成図であって、特開２００３−１５２５８８号公報に開示されているものである。
【０００４】
図３に示されるように、この衛星放送受信用周波数変換器は、水平偏波信号増幅器５１と、垂直偏波信号増幅器５２と、第１信号分配器５３と、第２信号分配器５４と、第１バンドパスフィルタ群５５と、第２バンドパスフィルタ群５６と、第１周波数変換部５７と、第２周波数変換部５８と、第１中間周波信号増幅器群５９と、第２中間周波信号増幅器群６０と、第１信号分配器群６１と、第２信号分配器群６２と、４×２選択スイッチ回路６３と、４×１選択スイッチ回路６４と、第３周波数変換部６５と、第４周波数変換部６６と、第３バンドパスフィルタ群６７と、信号合成器６８と、第１出力増幅器６９と、第２出力増幅器７０と、第１信号入力端子７１と、第２信号入力端子７２と、第１信号出力端子７３と、第２信号出力端子７４とからなっている。
【０００５】
この場合、水平偏波信号増幅器５１は、従属接続された２つの増幅器５１ａ、５１ｂを備え、垂直偏波信号増幅器５２は、従属接続された２つの増幅器５２ａ、５２ｂを備える。第１バンドパスフィルタ群５５は、並置された２つのバンドパスフィルタ５５ａ、５５ｂを備え、第２バンドパスフィルタ群５６は、並置された２つのバンドパスフィルタ５６ａ、５６ｂを備える。第１周波数変換部５７は、２つの周波数混合段５７ａ、５７ｂと１つの局部発振器５７ｃとを備え、第２周波数変換部５８は、２つの周波数混合段５８ａ、５８ｂと１つの局部発振器５８ｃとを備える。第１中間周波信号増幅器群５９は、並置された２つの増幅器５９ａ、５９ｂを備え、第２中間周波信号増幅器群６０は、並置された２つの増幅器６０ａ、６０ｂを備える。第１信号分配器群６１は、並置された２つの信号分配器６１ａ、６１ｂを備え、第２信号分配器群６２は、並置された２つの信号分配器６２ａ、６２ｂを備える。第３周波数変換部６５は、周波数混合段６５ａと局部発振器６５ｂとを備え、第４周波数変換部６６は、周波数混合段６６ａと局部発振器６６ｂとを備える。第３バンドパスフィルタ群６７は、並置された２つのバンドパスフィルタ６７ａ、６７ｂを備える。第２出力増幅器７０は、従属接続された２つの増幅器７０ａ、７０ｂを備える。
【０００６】
そして、この衛星放送受信用周波数変換器においては、衛星放送受信用周波数変換器を構成するそれぞれの構成要素５１乃至７４が図３に図示されるように相互接続されている。
【０００７】
前記構成によるこの衛星放送受信用周波数変換器は、次のように動作する。  
衛星放送受信アンテナで受信された衛星放送電波（周波数１０．７〜１２．７５ＧＨｚ）は、第１信号入力端子６９に水平偏波信号が、第２信号入力端子７０に垂直偏波信号がそれぞれ供給される。水平偏波信号は、水平偏波信号増幅器５１で増幅され、第１信号分配器５３で一方及び他方の水平偏波信号に２分され、垂直偏波信号は、垂直偏波信号増幅器５２で増幅され、第２信号分配器５４で一方及び他方の垂直偏波信号に２分される。この後、一方の水平偏波信号及び一方の垂直偏波信号は第１バンドパスフィルタ群５５によって所定の周波数帯域が選択され、第１周波数変換部５７の周波数混合段５７ａ、５７ｂに供給される。同様に、他方の水平偏波信号及び他方の垂直偏波信号は第２バンドパスフィルタ群５６によって所定の周波数帯域が選択され、第２周波数変換部５８の周波数混合段５８ａ、５８ｂに供給される。
【０００８】
一方の水平偏波信号及び一方の垂直偏波信号は、周波数混合段５７ａ、５７ｂにおいて局部発振器５７ｃから出力された局部発振信号（周波数９．７５ＧＨｚ）と周波数混合され、それぞれ周波数混合信号を形成する。形成された周波数混合信号は、第１中間周波信号増幅器群５９において周波数混合信号の中の差周波数成分（周波数０．９５〜２．１５ＧＨｚ）を選択増幅し、一方の水平偏波中間周波信号と一方の垂直偏波中間周波信号として第１信号分配器群６１に供給する。このとき、第１信号分配器群６１は、一方の水平偏波中間周波信号及び一方の垂直偏波中間周波信号を２分し、２分した一方を中間周波信号を４×２選択スイッチ回路６３に、他方の中間周波信号を４×１選択スイッチ回路６４に供給する。同じように、他方の水平偏波信号及び他方の垂直偏波信号は、周波数混合段５８ａ、５８ｂにおいて局部発振器５８ｃから出力された局部発振信号（周波数１０．６ＧＨｚ）と周波数混合され、それぞれ周波数混合信号を形成する。形成された周波数混合信号は、第２中間周波信号増幅器群６０において周波数混合信号の中の差周波数成分（周波数０．９５〜２．１５ＧＨｚ）を選択増幅し、他方の水平偏波中間周波信号と他方の垂直偏波中間周波信号として第２信号分配器群６２に供給する。このとき、第２信号分配器群６２は、他方の水平偏波中間周波信号及び他方の垂直偏波中間周波信号を２分し、２分した一方を中間周波信号を４×２選択スイッチ回路６３に、他方の中間周波信号を４×１選択スイッチ回路６４に供給する。
【０００９】
４×２選択スイッチ回路６３は、供給された４つの中間周波信号の中から２つの中間周波信号を選択し、選択した中間周波信号を第３周波数変換部６５及び第４周波数変換部６６に供給する。第３周波数変換部６５は、この中間周波信号と局部発振器６５ｂから出力された局部発振信号との周波数混合信号を形成し、第４周波数変換部６６は、この中間周波信号と局部発振器６６ｂから出力された局部発振信号との周波数混合信号を形成する。この後、第３周波数変換部６５及び第４周波数変換部６６から出力された周波数混合信号は、第３バンドパスフィルタ群６７においてそれぞれ１つの放送チャネルに当たる周波数成分（周波数０．９５〜２．１５ＧＨｚ）が選択され、選択された１つの放送チャネル信号を信号合成器６８で合成する。合成された各１つの放送チャネル信号は、第１出力増幅器６９で増幅され、第１信号出力端子７３に供給され、第１信号出力端子７３からサテライトチャネルルータ（ＳＣＲ）出力として２つの従来型チューナに供給される。
【００１０】
また、４×１選択スイッチ回路６４は、供給された４つの中間周波信号の中から１つの中間周波信号を選択し、選択した中間周波信号は、第２出力増幅器７０で増幅され、第２信号出力端子７４に供給され、第２信号出力端子７４から１つの従来型チューナに供給される。なお、４×２選択スイッチ回路６３及び４×１選択スイッチ回路６４のスイッチの切替えや、局部発振器６５ｂの局部発振信号及び局部発振器６６ｂの局部発振信号の各周波数の切替は、接続される対応チューナから供給される制御信号によって行われる。
【特許文献１】特開２００３−１５２５８８号公報
【発明の開示】
【発明が解決しようとする課題】
【００１１】
前記既知の衛星放送受信用周波数変換器は、機能な面をみた限りでは一応満足できる特性を備えているということができるが、第１バンドパスフィルタ群５５、第２バンドパスフィルタ群５６から第１周波数変換部５７、第２周波数変換部５８、第１中間周波信号増幅器群５９、第２中間周波信号増幅器群６０、第１信号分配器群６１を経て４×２選択スイッチ回路６３、４×１選択スイッチ回路６４に到るまでの構成部分が４経路になっているため、この点で回路構成が複雑になっているだけでなく、回路構成が複雑になっている分、必要とする構成要素も多くなって、実装時に構成要素の占有部分が増え、小型の衛星放送受信用周波数変換器を得ることが難しく、製造コストを安価にすることができない。
【００１２】
本発明は、このような技術的背景に鑑みてなされたもので、その目的は、必要とする機能を具備するとともに、簡素化した回路構成を有し、使用する構成要素が少なく、小型化が可能で、安価に製造できる衛星放送受信用周波数変換器を提供することにある。
【課題を解決するための手段】
【００１３】
前記目的を達成するために、本発明による衛星放送受信用周波数変換器は、受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、第１周波数変換部から出力された複数チャネルの水平偏波中間周波信号及び複数チャネルの垂直偏波中間周波信号の中の１つのチャネルの水平偏波周波数中間周波信号または垂直偏波数中間周波信号を選択する信号選択部と、信号選択部から出力された１つのチャネルの中間周波信号をその中間周波信号と異なる周波数の１つのチャネルの第１または第２中間周波信号に周波数変換する第２周波数変換部とを有し、第２周波数変換部から出力された１つのチャネルの第１または第２中間周波信号が従来型放送信号受信機に供給される第１の手段を具備する。
【００１４】
また、前記目的を達成するために、本発明による衛星放送受信用周波数変換器は、受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、第１周波数変換部から出力された複数チャネルの水平偏波中間周波信号及び複数チャネルの垂直偏波中間周波信号の中の１つのチャネルの水平偏波周波数中間周波信号または垂直偏波数中間周波信号を選択する第１信号選択部と、複数チャネルの水平偏波中間周波信号及び複数チャネルの垂直偏波周波数変換信号の中からそれぞれ１つのチャネルの水平偏波中間周波信号及び垂直偏波数中間周波信号を選択する第２信号選択部と、第１信号選択部から出力された１つのチャネルの中間周波信号をその信号と異なる周波数の第１または第２中間周波信号に周波数変換する第２周波数変換部と、第２信号選択部から出力されたそれぞれ１つのチャネルの水平偏波中間周波信号及び垂直偏波数中間周波信号をそれより狭い周波数帯域内にある水平偏波中間周波信号及び垂直偏波数中間周波信号に周波数変換する第３周波数変換部とを有し、第２周波数変換部から出力された１つのチャネルの第１または第２中間周波信号が従来型信号受信機に供給され、第３周波数変換部から出力された水平偏波中間周波信号と垂直偏波数中間周波信号とを加算した信号が従来型放送信号受信機に供給される第２の手段を具備する。
【００１５】
さらに、前記目的を達成するために、本発明による衛星放送受信用周波数変換器は、受信した衛星放送における複数チャネルの水平偏波信号及び複数チャネルの垂直偏波信号をそれぞれ周波数変換し、複数チャネルの水平偏波中間周波信号及び複数チャネルの垂直偏波中間周波信号を形成する第１周波数変換部と、第１周波数変換部から出力された複数チャネルの水平偏波中間周波信号及び複数チャネルの垂直偏波中間周波信号の中の１つのチャネルの水平偏波周波数中間周波信号または垂直偏波数中間周波信号を選択する信号選択部と、信号選択部から出力された１つのチャネルの水平偏波周波数中間周波信号または垂直偏波数中間周波信号をその信号と異なる周波数の１つのチャネルの第１または第２中間周波信号に周波数変換する１つの第２周波数変換部と、１つの信号選択部から出力された１つのチャネルの垂直偏波周波数中間周波信号または垂直偏波数中間周波信号をその信号と異なる周波数の１つのチャネルの第３または第４中間周波信号に周波数変換する他の第２周波数変換部とを有し、１つの第２周波数変換部から出力された１つのチャネルの第１または第２中間周波信号及び他の第２周波数変換部から出力された１つのチャネルの第３または第４中間周波信号がそれぞれ従来型放送信号受信機に供給される第３の手段を具備する。
【発明の効果】
【００１６】
第１の手段を具備する衛星放送受信用周波数変換器によれば、複数チャネルの水平偏波中間周波信号及び複数チャネルの垂直偏波中間周波信号が供給された信号選択部から出力された１つのチャネルの中間周波信号をそれと異なる周波数のハイチャネルに該当する１つのチャネルの第１中間周波信号またはローチャネルに該当する１つのチャネルの第２中間周波信号に周波数変換する第２周波数変換部とを設け、第２周波数変換部から出力された１つのチャネルの第１または第２中間周波信号を従来型信号受信機に供給するようにしているので、簡素化された構成を採用し、使用する構成要素を低減したにも係わらず、広帯域周波数の受信処理を行うことが可能で、小型化することができ、安価に製造できる衛星放送受信用周波数変換器が得られるという効果がある。
【００１７】
また、第２の手段を具備する衛星放送受信用周波数変換器によれば、複数チャネルの水平偏波中間周波信号及び複数チャネルの垂直偏波中間周波信号が供給された第１信号選択部から出力された１つのチャネルの中間周波信号をそれと異なる周波数のハイチャネルに該当する１つのチャネルの第１中間周波信号またはローチャネルに該当する１つのチャネルの第２中間周波信号に周波数変換する第２周波数変換部とを設け、第２周波数変換部から出力された１つのチャネルの第１または第２中間周波信号を従来型信号受信機に供給するようにし、同時に、前記２つの中間周波信号が供給された第２信号選択部から出力されたそれぞれ１つのチャネルの水平偏波中間周波信号及び垂直偏波数中間周波信号をそれより狭い周波数帯域内にある水平偏波中間周波信号及び垂直偏波数中間周波信号に周波数変換する第３周波数変換部とを設け、第３周波数変換部から出力された水平偏波中間周波信号と垂直偏波数中間周波信号とを加算した信号を従来型放送信号受信機に供給するようにしているので、第１の手段と同様に、簡素化された構成を採用し、使用する構成要素を低減したにも係わらず、広帯域周波数の受信処理を行うことが可能で、小型化することができ、安価に製造できる衛星放送受信用周波数変換器が得られるという効果がある。
【００１８】
さらに、第３の手段を具備する衛星放送受信用周波数変換器によれば、複数チャネルの水平偏波中間周波信号及び複数チャネルの垂直偏波中間周波信号が供給された信号選択部から出力された１つのチャネルの中間周波信号をそれと異なる周波数のハイチャネルに該当する１つのチャネルの第１中間周波信号またはローチャネルに該当する１つのチャネルの第２中間周波信号に周波数変換する１つの第２周波数変換部とを設け、１つの第２周波数変換部から出力された１つのチャネルの第１または第２中間周波信号を従来型信号受信機に供給するようにし、それと同時に、前記信号選択部から出力された１つのチャネルの中間周波信号をそれと異なる周波数のハイチャネルに該当する１つのチャネルの第３中間周波信号またはローチャネルに該当する１つのチャネルの第４中間周波信号に周波数変換する１つの他の第２周波数変換部とを設け、他の第２周波数変換部から出力された１つのチャネルの第３または第４中間周波信号を従来型信号受信機に供給するようにしているので、第１及び第２の手段と同様に、簡素化された構成を採用し、使用する構成要素を低減したにも係わらず、広帯域周波数の受信処理を行うことが可能で、小型化することができ、安価に製造できる衛星放送受信用周波数変換器が得られるという効果がある。
【発明を実施するための最良の形態】
【００１９】
以下、本発明の実施の形態を図面を参照して説明する。
【００２０】
図１は、本発明による衛星放送受信用周波数変換器の一つの実施の形態に係わるもので、その要部構成を示すブロック構成図である。
【００２１】
図１に示されるように、この実施の形態による衛星放送受信用周波数変換器は、水平偏波信号増幅器１と、垂直偏波信号増幅器２と、第１バンドパスフィルタ３と、第２バンドパスフィルタ４と、周波数変換部（第１周波数変換部）５と、水平偏波中間周波信号増幅器６と、垂直偏波中間周波信号増幅器７と、水平偏波信号分配器８と、垂直偏波信号分配器９と、２×２選択スイッチ回路１０と、２×１選択スイッチ回路１１と、周波数変換部（第３周波数変換部）１２と、周波数変換部１３（第３周波数変換部）と、第３バンドパスフィルタ１４と、第４バンドパスフィルタ１５と、信号合成器１６と、第１出力増幅器１７と、周波数変換部（第２周波数変換部）１８と、第２出力増幅器１９と、マイコン２０と、選択スイッチ２１と、水平偏波信号入力端子２２と、垂直偏波信号入力端子２３と、第１信号出力端子２４と、第２信号出力端子２５と、制御端子２６とからなっている。
【００２２】
この場合、水平偏波信号増幅器１は、従属接続された２つの増幅器１ａ、１ｂを備え、垂直偏波信号増幅器２は、従属接続された２つの増幅器２ａ、２ｂを備えている。周波数変換部５は、２つの周波数混合段５ａ、５ｂとそれぞれ１つの局部発振器５ｃ及びバッファ増幅器５ｄとを備えている。周波数変換部１２は、周波数混合段１２ａと局部発振器１２ｂとを備え、周波数変換部１３は、周波数混合段１３ａと局部発振器１３ｂとを備える。周波数変換部１８は、周波数混合段１８ａと２つの局部発振器１８ｂ、１８ｃとを備える。また、２×２選択スイッチ回路１０は、２入力回路を選択的に２出力回路に切替接続するものであり、２×１選択スイッチ回路１１は、２入力回路を選択的に１出力回路に切替接続するものである。
【００２３】
そして、水平偏波信号増幅器１は、入力端が水平偏波信号入力端子２２に接続され、出力端が第１バンドパスフィルタ３の入力端に接続される。垂直偏波信号増幅器２は、入力端が垂直偏波信号入力端子２３に接続され、出力端が第２バンドパスフィルタ４の入力端に接続される。周波数変換部５において、周波数混合段５ａは、第１入力端が第１バンドパスフィルタ３の出力端に、第２入力端がバッファ増幅器５ｄを通して局部発振器５ｃの出力端に、出力端が水平偏波中間周波信号増幅器６の入力端にそれぞれ接続され、周波数混合段５ｂは、第１入力端が第２バンドパスフィルタ４の出力端に、第２入力端がバッファ増幅器５ｄを通して局部発振器５ｃの出力端に、出力端が垂直偏波中間周波信号増幅器７の入力端にそれぞれ接続される。水平偏波信号分配器８は、入力端が水平偏波中間周波信号増幅器６の出力端に、第１出力端が２×２選択スイッチ回路１０の第１入力端に、第２出力端が２×１選択スイッチ回路１１の第１入力端にそれぞれ接続される。垂直偏波信号分配器９は、入力端が垂直偏波中間周波信号増幅器７の出力端に、第１出力端が２×２選択スイッチ回路１０の第２入力端に、第２出力端が２×１選択スイッチ回路１１の第２入力端にそれぞれ接続される。
【００２４】
周波数変換部１２において、周波数混合段１２ａは、第１入力端が２×２選択スイッチ回路１０の第１出力端に、第２入力端が局部発振器１２ｂの出力端に、出力端が第３バンドパスフィルタ１４の入力端にそれぞれ接続される。周波数変換部１３において、周波数混合段１３ａは、第１入力端が２×２選択スイッチ回路１０の第２出力端に、第２入力端が局部発振器１３ｂの出力端に、出力端が第４バンドパスフィルタ１５の入力端にそれぞれ接続される。信号合成器１６は、第１入力端が第３バンドパスフィルタ１４の出力端に、第２入力端が第４バンドパスフィルタ１５の出力端に、出力端が第１出力増幅器１７の入力端にそれぞれ接続される。第１出力増幅器１７は、出力端が第１信号出力端子２４に接続される。また、周波数変換部１８において、周波数混合段１８ａは、第１入力端が２×１選択スイッチ回路１１の出力端に、第２入力端が２つの局部発振器１８ｂ、１８ｃの各出力端に、出力端が第２出力増幅器１９の入力端にそれぞれ接続される。第２出力増幅器１９は、出力端が第２信号出力端子２５に接続される。また、２つの発振器１８ｂ、１８ｃは、それぞれ制御端が選択スイッチ２１の対応する切替端子に接続され、マイコン２０は、制御端が制御端子２６の接続され、制御出力端が選択スイッチ２１の可動端子に接続される。
【００２５】
前記構成による衛星放送受信用周波数変換器は、次のように動作する。  
衛星放送受信アンテナ（図１に図示なし）で受信された衛星放送電波（周波数１０．７〜１２．７５ＧＨｚ）は、第１信号入力端子２２に水平偏波信号（Ｈ）が、第２信号入力端子２３に垂直偏波信号（Ｖ）がそれぞれ供給される。水平偏波信号は、水平偏波信号増幅器１で増幅され、第１バンドパスフィルタ３によって所定の周波数帯域が選択され、周波数変換部５の周波数混合段５ａに供給される。また、垂直偏波信号は、垂直偏波信号増幅器２で増幅され、第２バンドパスフィルタ４によって所定の周波数帯域が選択され、周波数変換部５の周波数混合段５ｂに供給される。
【００２６】
周波数混合段５ａは、供給された水平偏波信号と局部発振器５ｃからバッファ増幅器５ｄを通して供給された局部発振信号（周波数１３．２５ＧＨｚ）とを周波数混合し、周波数混合信号を形成する。また、周波数混合段５ｂは、供給された垂直偏波信号と局部発振器５ｃからバッファ増幅器５ｄを通して供給された局部発振信号とを周波数混合し、周波数混合信号を形成する。周波数混合段５ａから出力された周波数混合信号は、水平偏波中間周波信号増幅器６において周波数混合信号の中の差周波数成分（周波数０．５〜２．５５ＧＨｚ）を選択増幅し、得られた水平偏波中間周波信号を水平偏波信号分配器８に供給する。水平偏波信号分配器８は、水平偏波中間周波信号を２分し、２分した一方の中間周波信号を２×２選択スイッチ回路１０に供給し、他方の中間周波信号を２×１選択スイッチ回路１１に供給する。同じように、周波数混合段５ｂから出力された周波数混合信号は、垂直偏波中間周波信号増幅器７において周波数混合信号の中の差周波数成分（周波数０．５〜２．５５ＧＨｚ）を選択増幅し、得られた垂直偏波中間周波信号を垂直偏波信号分配器９に供給する。垂直偏波信号分配器９は、垂直偏波中間周波信号を２分し、２分した一方の中間周波信号を２×２選択スイッチ回路１０に供給し、他方の中間周波信号を２×１選択スイッチ回路１１に供給する。
【００２７】
２×２選択スイッチ回路１０は、供給された複数チャネルの水平偏波中間周波信号及び複数チャネルの垂直偏波中間周波信号の中から２つのチャネルの中間周波信号を選択し、選択した２つのチャネル中間周波信号をそれぞれ周波数変換部１２の周波数混合段１２ａと周波数変換部１３の周波数混合段１３ａに供給する。周波数混合段１２ａは、供給された中間周波信号と局部発振器１２ｂから出力された局部発振信号との周波数混合信号を形成し、周波数混合段１３ａは、供給された中間周波信号と局部発振器１３ｂから出力された局部発振信号との周波数混合信号を形成する。周波数混合段１２ａから出力された周波数混合信号は、第３バンドパスフィルタ１４によって所定の周波数成分（周波数１．４〜１．７５ＧＨｚ）が選択され、選択された１つの放送チャネル信号が信号合成器１６に供給される。また、周波数混合段１３ａから出力された周波数混合信号は、第４バンドパスフィルタ１５によって所定の周波数成分（周波数１．４〜１．７５ＧＨｚ）が選択され、選択された１つの放送チャネル信号が信号合成器１６に供給される。信号合成器１６は、供給された２つの放送チャネル信号を合成し、合成したそれぞれ１つの放送チャネル信号は、第１出力増幅器１７で増幅されて第１信号出力端子２４に供給され、第１信号出力端子２４からサテライトチャネルルータ（ＳＣＲ）出力として２つの従来型チューナに供給される。
【００２８】
また、２×１選択スイッチ回路１１は、供給された複数チャネルの水平偏波中間周波信号及び複数チャネルの垂直偏波中間周波信号の中から１つのチャネルの中間周波信号を選択し、選択した中間周波信号は周波数変換部１８の周波数混合段１８ａに供給される。周波数混合段１８ａは、供給された中間周波信号と、局部発振器１８ｂから出力された局部発振信号（周波数２．６５ＧＨｚ）または局部発振器１８ｃから出力された局部発振信号（周波数３．５ＧＨｚ）とを周波数混合し、その出力に周波数混合信号を形成する。形成された周波数混合信号は、第２出力増幅器１９で選択増幅されて１つのチャネルの中間周波信号を発生させ、この１つのチャネルの中間周波信号が第２信号出力端子２５に供給され、第２信号出力端子２５から１つの従来型チューナに供給される。
【００２９】
この場合、周波数混合段１８ａに供給される局部発振信号は、選択スイッチ２１によって選択された局部発振器１８ｂ、１８ｃから供給される局部発振信号であり、選択スイッチ２１による選択は、制御端子２６に供給される制御信号によって動作するマイコン２０の制御によって行われる。また、２×２選択スイッチ回路１０及び２×１選択スイッチ回路１１のスイッチの切替えや、局部発振器１２ｂの局部発振信号及び局部発振器１３ｂの局部発振信号の各局部発振信号周波数の切替は、第１信号出力端子２４に接続される従来型チューナから供給される制御信号によって行われる。
【００３０】
次に、図２は、本発明による衛星放送受信用周波数変換器の他の実施の形態に係わるもので、その要部構成を示すブロック構成図である。
【００３１】
図２に示されるように、この実施の形態による衛星放送受信用周波数変換器（以下、これを第２例周波数変換器という）は、図１に図示された衛星放送受信用周波数変換器（以下、これを第１例周波数変換器という）における周波数変換部（第２周波数変換部）１８と、第２出力増幅器１９と、マイコン２０と、選択スイッチ２１と、第２信号出力端子２５とからなる第１構成部分に、それと同じ回路構成を持った第２の構成部分を並置したもので、この第２の構成部分は、周波数変換部（第２周波数変換部）２７と、第２出力増幅器２８と、マイコン２９と、選択スイッチ３０と、第２信号出力端子３１とからなっている。また、第２例変換器は、第１構成部分と第２構成部分とを並置したことにより、第１例変換器で用いていた２×１選択スイッチ回路１１に代えて、２×２選択スイッチ回路３２を用いているものである。そして、第２例周波数変換器の構成は、前述の構成を除けば、第１例周波数変換器の構成と同じである。このため、図２に図示された第２例周波数変換器の構成については、図１に図示された構成要素と同じ構成要素については同じ符号を付け、これ以上の説明を省略する。
【００３２】
また、第２例周波数変換器における動作は、前記第２構成部分の構成が前記第１構成部分の構成と同じであることから、前記第２構成部分の動作は、前述の前記第１構成部分の動作と同じであり、また、第２例周波数変換器の構成については、前記第２構成部分を有する以外の点について第１例周波数変換器の構成と同じであるので、それらの動作も殆ど同じである。このため、第２例周波数変換器の動作については、これ以上の説明を省略する。
【００３３】
以上のように、これらの実施の形態による衛星放送受信用周波数変換器によれば、いずれのものも、簡素化された構成であって、使用する構成要素を低減しているにも係わらず、広帯域周波数の受信処理を行うことが可能であって、機器の小型化が可能であり、安価に製造できる衛星放送受信用周波数変換器を得ることができるものである。
【図面の簡単な説明】
【００３４】
【図１】本発明による衛星放送受信用周波数変換器の一つの実施の形態に係わるもので、その要部構成を示すブロック構成図である。
【図２】本発明による衛星放送受信用周波数変換器の他の実施の形態に係わるもので、その要部構成を示すブロック構成図である。
【図３】既知の衛星放送受信用周波数変換器の一例を示すブロック構成図である。
【符号の説明】
【００３５】
１  水平偏波信号増幅器
２  垂直偏波信号増幅器
３  第１バンドパスフィルタ
４  第２バンドパスフィルタ
５  周波数変換部（第１周波数変換部）
６  水平偏波中間周波信号増幅器
７  垂直偏波中間周波信号増幅器
８  水平偏波信号分配器
９  垂直偏波信号分配器
１０、３２  ２×２選択スイッチ回路
１１  ２×１選択スイッチ回路
１２  周波数変換部（第３周波数変換部）
１３  周波数変換部（第３周波数変換部）
１４  第３バンドパスフィルタ
１５  第４バンドパスフィルタ
１６  信号合成器
１７  第１出力増幅器
１８、２７  周波数変換部（第２周波数変換部）
１９、２８  第２出力増幅器
２０、２９  マイコン
２１、３０  選択スイッチ
２２  水平偏波信号入力端子
２３  垂直偏波信号入力端子
２４  第１信号出力端子
２５、３１  第２信号出力端子
２６  制御端子
【図１】
2006352348.tif 000003
【図２】
2006352348.tif 000004
【図３】
2006352348.tif 000005